(57)【要約】      （修正有）【課題】入力された座標を、複数ある映像信号出力機器のうち適切な映像信号出力機器に対して供給する表示装置を提供する。【解決手段】映像信号を供給する映像信号出力機器が複数接続され、映像信号出力機器から映像信号を入力する映像信号入力部１１と、複数の映像信号のうち少なくともいずれか１つの映像信号を表示する表示部１２と、表示部１２の表示画面上に対応する二次元座標を入力する座標入力部１３と、二次元座標が入力されると、入力された時点において表示された映像信号であり入力された表示画面上の位置が表示領域に含まれている映像信号を供給した映像信号出力機器を複数の映像信号出力機器の中から判定する判定部１４と、判定された映像信号出力機器に対し、座標入力部１３から得られる二次元座標データを出力する制御部１５と、を有する。【選択図】図１
2017156606.tif 000002
【特許請求の範囲】
【請求項１】
映像信号を供給する映像信号出力機器が複数接続され、当該映像信号出力機器から映像信号を入力する映像信号入力部と、
前記複数の映像信号のうち少なくともいずれか１つの映像信号を表示する表示部と、
前記表示部の表示画面上に対応する二次元座標を入力する座標入力部と、
前記二次元座標が入力されると、入力された時点において表示された映像信号であり入力された表示画面上の位置が表示領域に含まれている当該映像信号を供給した映像信号出力機器を前記複数の映像信号出力機器の中から判定する判定部と、
前記判定された映像信号出力機器に対し、前記座標入力部から得られる二次元座標データを出力する制御部と、
を有する表示装置。
【請求項２】
前記制御部は、前記入力された時点において表示画面上に複数の映像信号が表示されている場合には、前記二次元座標データの二次元座標について、前記入力された表示画面上の位置に対応する映像信号が表示された前記表示画面上の位置に応じた補正を行い、前記映像信号出力機器に出力する
請求項１記載の表示装置。
【請求項３】
前記制御部は、前記入力された時点において映像信号の表示サイズを縮小または拡大して表示していた場合には、前記二次元座標データの二次元座標について、前記縮小または拡大された倍率に応じた補正を行い、前記映像信号出力機器に出力する
請求項１または請求項２記載の表示装置。
【請求項４】
前記制御部は、表示画面の基準位置と前記映像信号の表示開始位置との相対位置、前記表示画面の基準位置と前記映像信号の表示終了位置との相対位置、に基づいて補正を行う
請求項１から請求項３のいずれか１項に記載の表示装置。
【請求項５】
映像信号を供給する映像信号出力機器が複数接続され、当該映像信号出力機器から映像信号を入力するステップと、
前記複数の映像信号のうち少なくともいずれか１つの映像信号を表示するステップと、
前記表示される表示画面上に対応する二次元座標を入力するステップと、
前記二次元座標が入力されると、入力された時点において表示された映像信号であり入力された表示画面上の位置が表示領域に含まれている当該映像信号を供給した映像信号出力機器を前記複数の映像信号出力機器の中から判定するステップと、
前記判定された映像信号出力機器に対し、前記二次元座標を表すデータを出力するステップと
を含む表示装置の座標入力方法。
【発明の詳細な説明】
【技術分野】
【０００１】
本発明は、表示装置、表示装置の座標入力方法処理に関する。
【背景技術】
【０００２】
近年、モニターなどの画像表示装置において４Ｋ、８Ｋといった高解像度ディスプレイが増えてきている。一般的に、映像信号の接続としてＤｉｓｐｌａｙＰｏｒｔやＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＤＶＩ（Ｄｉｇｉｔａｌ  Ｖｉｓｕａｌ  Ｉｎｔｅｒｆａｃｅ）、ＳＤＩ（Ｓｅｒｉａｌ  Ｄｉｇｉｔａｌ  Ｉｎｔｅｒｆａｃｅ）などが使用されて画像表示装置に入力される。高解像度の映像信号を転送するには高速信号に対応した映像入力が必要であるが、複数の映像入力を組み合わせて表示することも可能である。また、複数の映像信号を１つの表示装置の画面上に同時に表示するような監視用途にも使用されている。例えば、４Ｋ（３８４０×２１６０）の表示領域を持つ画像表示装置に、ＦｕｌｌＨＤ（Ｆｕｌｌ  Ｈｉｇｈ  Ｄｅｆｉｎｉｔｉｏｎ）（１９２０×１０８０）の映像信号を４つ入力し、４画面分を１つの画面上に同時に表示したり、１つの入力を拡大して１画面として表示することも可能である。
一方、画像表示装置の表面にタッチパネルを搭載し、画面を直接タッチして操作入力できるタッチモニターとして使われることも多くなっている。モニターにタッチパネルを搭載する場合、制御としてＵＳＢ（Ｕｎｉｖｅｒｓａｌ  Ｓｅｒｉａｌ  Ｂｕｓ）やＲＳ２３２Ｃが接続され、直接ＰＣ（コンピュータ）から制御を行っている。
このような座標入力装置として、例えば、特許文献１のものがある。この座標入力装置では、スタイラスを用いてタッチパネルから座標を入力することができる。
【先行技術文献】
【特許文献】
【０００３】
【特許文献１】特開２００６−０３９８１９号公報
【発明の概要】
【発明が解決しようとする課題】
【０００４】
１つの映像信号を１つの表示装置において表示する場合においては、タッチパネルからタッチ入力されたとしても、入力内容を出力する対象となる映像信号出力機器が１つであるため、その映像信号出力機器にタッチ入力の結果を供給すればよい。しかしながら、１つの表示装置に対して複数の映像信号出力機器が接続され、それぞれの映像信号出力機器から映像信号を入力して１つの表示装置において表示する場合には、タッチ入力の結果を、複数の映像信号出力機器のうち適切な映像信号出力機器に対して供給しなければならない。適切に供給することができない場合には、タッチパネルから直接、操作対象の各映像信号出力機器に対して操作を行うことができない。
【０００５】
本発明は、このような事情に鑑みてなされたもので、その目的は、入力された座標を、複数ある映像信号出力機器のうち適切な映像信号出力機器に対して供給する表示装置、表示装置の座標入力方法を提供することにある。
【課題を解決するための手段】
【０００６】
上述した課題を解決するために、本発明は、映像信号を供給する映像信号出力機器が複数接続され、当該映像信号出力機器から映像信号を入力する映像信号入力部と、前記複数の映像信号のうち少なくともいずれか１つの映像信号を表示する表示部と、前記表示部の表示画面上に対応する二次元座標を入力する座標入力部と、前記二次元座標が入力されると、入力された時点において表示された映像信号であり入力された表示画面上の位置が表示領域に含まれている当該映像信号を供給した映像信号出力機器を前記複数の映像信号出力機器の中から判定する判定部と、前記判定された映像信号出力機器に対し、前記座標入力部から得られる二次元座標データを出力する制御部と、を有する。
【０００７】
また、本発明は、映像信号を供給する映像信号出力機器が複数接続され、当該映像信号出力機器から映像信号を入力するステップと、前記複数の映像信号のうち少なくともいずれか１つの映像信号を表示するステップと、前記表示される表示画面上に対応する二次元座標を入力するステップと、前記二次元座標が入力されると、入力された時点において表示された映像信号であり入力された表示画面上の位置が表示領域に含まれている当該映像信号を供給した映像信号出力機器を前記複数の映像信号出力機器の中から判定するステップと、前記判定された映像信号出力機器に対し、前記二次元座標を表すデータを出力するステップとを含む表示装置の座標入力方法である。
【発明の効果】
【０００８】
以上説明したように、この発明によれば、複数の映像信号出力機器のうち、座標入力された際にその座標入力が行われた映像信号を供給していた映像信号出力機器を特定し、二次元座標を供給することができる。
【図面の簡単な説明】
【０００９】
【図１】この発明の一実施形態による表示装置システム１の構成を示す概略ブロック図である。
【図２】第２の実施形態における表示装置１０Ｂを含む表示システム１の構成を表す概略構成図である。
【図３】図２における表示システム１の機能構成を表す概略ブロック図である。
【図４】表示装置１Ｂの動作を説明するフローチャートである。
【図５】入力された領域位置と座標データの関係を説明する図である。
【図６】入力された領域位置と座標データの関係を説明する図である。
【図７】ＰＩＰにて２つの映像信号を表示する場合の表示システム１Ｃの構成の一例を示す図である。
【図８】４画面表示にて４つの映像信号を表示する場合の表示システム１Ｄの一例を示す図である。
【図９】その他の実施形態における表示システム１Ｅの構成の一例を示す図である。
【発明を実施するための形態】
【００１０】
以下、本発明の一実施形態による表示装置について図面を参照して説明する。図１は、この発明の一実施形態による表示装置システム１の構成を示す概略ブロック図である。
表示装置１０Ａは、映像信号入力部１１、表示部１２、座標入力部１３、判定部１４、制御部１５を含んで構成される。
映像信号入力部１１は、映像信号を供給する映像信号出力機器が複数接続され、当該映像信号出力機器から映像信号を入力する。表示部１２は、複数の映像信号のうち少なくともいずれか１つの映像信号を表示する。座標入力部１３は、表示部１２の表示画面上に対応する二次元座標を入力する。判定部１４は、二次元座標が入力されると、入力された時点において表示された映像信号であり入力された表示画面上の位置が表示領域に含まれている当該映像信号を供給した映像信号出力機器を複数の映像信号出力機器の中から判定する。制御部１５は、判定された映像信号出力機器に対し、座標入力部１３から得られる二次元座標データを出力する。
【００１１】
この実施形態によれば、座標入力部１３から二次元座標が入力されると、その二次元座標が入力された時点において表示部１２に表示された映像信号であって、二次元座標が入力された表示画面上の位置が表示領域に含まれている当該映像信号を特定する。そして、特定された映像信号を供給した映像信号出力機器を複数の映像信号出力機器の中から判定する。これにより、複数の映像信号出力機器のうち、判定された映像信号出力機器に対して二次元座標を供給することができる。
【００１２】
次に、第２の実施形態における表示装置１０Ｂについて説明する。
図２は、第２の実施形態における表示装置１０Ｂを含む表示システム１の構成を表す概略構成図である。
表示システム１は、表示装置１０Ｂが、映像信号出力機器２０、映像信号出力機器２１に接続されて構成される。表示装置１０Ｂと映像信号出力機器２０は、映像信号ケーブルと制御用ケーブルとで接続される。また、表示装置１０と映像信号出力機器２１は、映像信号ケーブルと制御用ケーブルとで接続される。
【００１３】
映像信号出力機器２０及び映像信号出力機器２１は、映像信号ケーブルを介して映像信号を表示装置１Ｂに供給する。映像信号出力機器２０及び映像信号出力機器２１は、制御用ケーブルを介して表示装置１Ｂと各種制御信号の送受信をする。この制御信号は、例えば、座標入力部１３Ｂの制御用の信号が含まれる。その一例としては、座標データである。映像信号出力機器２０、映像信号出力機器２１は、例えば、コンピュータを用いることができる。
【００１４】
この表示システム１において、表示装置１Ｂは、映像信号出力機器２０と映像信号出力機器２１の２台から映像信号を入力し、１つの画面上に、２つの映像信号を表示する。この実施形態においては、表示装置１Ｂの表示画面の水平方向における中央を境目として左側の表示領域２００に映像信号出力機器２０の映像信号を表示し、右側の表示領域２０１に映像信号出力機器２１の映像信号を表示する。
【００１５】
図３は、図２における表示システム１の機能構成を表す概略ブロック図である。
この図において、図１と同様の機能については同じ符号を付し、その説明を省略する。
表示部１２Ｂは、表示部１２と同様の機能を有するが、例えば、液晶パネルを用いることができる。座標入力部１３Ｂは、座標入力部１３と同様の機能を有するが、例えば、タッチパネルを用いることができる。
制御部１５Ｂは、制御部１５の機能に加えて、次の機能を有する。すなわち、制御部１５Ｂは、入力された時点において表示画面上に複数の映像信号が表示されている場合には、二次元座標データの二次元座標について、入力された表示画面上の位置に対応する映像信号が表示された表示画面上の位置に応じた補正を行い、映像信号出力機器に出力する。制御部１５Ｂは、入力された時点において映像信号の表示サイズを縮小または拡大して表示していた場合には、二次元座標データの二次元座標について、縮小または拡大された倍率に応じた補正を行い、映像信号出力機器に出力する。制御部１５Ｂは、表示画面の基準位置と映像信号の表示開始位置との相対位置、表示画面の基準位置と映像信号の表示終了位置との相対位置、に基づいて補正を行う。
【００１６】
次に、画像処理部１６は、画像信号を表示画面上のどの位置に表示させるかを制御して、映像信号入力部１１が入力した信号を表示部１２に表示する。また、画像処理部１６は、スケーラー機能を有し、映像信号を表示する際の画像サイズを目的の画像サイズとなるように拡大や縮小等の制御をする。
【００１７】
図４は、表示装置１Ｂの動作を説明するフローチャートである。
表示装置１Ｂは、映像信号出力機器２０、映像信号出力機器２１から供給される映像信号を入力し（ステップＳ１０１）、各映像信号を所定のサイズにリサイズし、表示対象の表示領域に表示する（ステップＳ１０２）。座標入力部１３Ｂは、タッチパネルへのタッチ入力があったか否かに基づいて、座標データの入力があったか否かを判定する（ステップＳ１０３）。座標入力部１３Ｂは、座標入力がされていなければ（ステップＳ１０３−ＮＯ）、一定時間毎にステップＳ１０３の判定を行う。一方、座標入力部１３Ｂは、タッチパネルへのタッチ入力があった場合（ステップＳ１０３−ＹＥＳ）、そのタッチされた場所の座標位置を検出する（ステップＳ１０４）。判定部１４は、検出された座標位置が、いずれの映像信号の表示領域であるかを判定する（ステップＳ１０５）。制御部１５Ｂは、判定された表示領域がいずれであるかに応じて、検出された座標位置を補正して座標データを生成し、判定された表示領域に表示された映像信号を供給した映像信号出力機器に、座標データを出力する（ステップＳ１０７）。
【００１８】
図５、図６は、入力された領域位置と座標データの関係を説明する図である。
図５に示すように、表示装置１０Ｂの表示画面の左上を起点Ｏとしたとき、座標入力部１３Ｂの入力可能領域（タッチパネルのタッチ入力可能な範囲）の座標は、水平方向においてＨＴ、垂直方向においてＶＴとする。このＨＴ、ＶＴは表示装置１０Ｂの表示可能な全領域のサイズ（水平方向におけるサイズ、垂直方向におけるサイズ）である。表示部１２Ｂの表示領域を同じように、表示画面の左上を起点Ｏとしたとき、表示画面の表示可能な領域の座標は、水平方向においてＨＯ、垂直方向においてＶＯとすると、ＨＴはＨＯと等しく、ＶＴはＶＯと等しい。
【００１９】
ここで、例えば映像信号出力機器２１の映像信号を表示装置１０Ｂの表示画面３００の右半分に表示し、映像信号出力機器２１の表示された映像信号が位置Ａにおいてタッチされた場合について説明する。また、ここでは、各映像信号出力機器からの映像信号に対して、表示装置１０Ｂにおいて、スケーリング（拡大、縮小）を行っていない、すなわち、拡大率が１倍（縮小率が１倍）である場合について説明する。
【００２０】
図６に示すように、座標入力部１３Ｂのタッチパネル上でタッチされた座標Ａを、（ＨＴＡ，ＶＴＡ）とする。実際の信号出力機器２１の映像信号における座標は、表示領域２０１の左上の起点Ｏａを基準として座標（ＨＯ２，ＶＯ２）となるため、起点Ｏが基準であるタッチパネルの座標（ＨＴＡ，ＶＴＡ）に対し、位置においてズレが生じてしまう。そのためタッチ座標Ａをそのまま映像信号出力機器２１へ送信すると、映像信号出力機器２１に対して正しい座標を伝えることができず、また、正しい操作ができない。
【００２１】
そこで、映像信号出力機器２１の映像信号を表示画面３００の右半分に表示する場合、この座標Ａは、表示領域２０１内に含まれる。そのため、制御部１５Ｂは、座標Ａについて、映像信号出力機器２１から供給された映像信号に対する座標の入力であると判定することができる。例えば、表示画面３００において、映像信号出力機器２０の映像信号を表示する表示領域の座標と、映像信号出力機器２１の映像信号を表示する表示領域の座標は、これら２つの映像信号を表示するにあたり、画像処理部１６において設定されている。判定部１４は、映像信号を表示する座標や、映像信号の拡大や縮小が行われた場合のスケーリング係数を画像処理部１６から取得することで、タッチ座標がどの映像信号の表示領域に対する座標の入力であるかを判定することができる。制御部１５Ｂは、表示領域２０１内に対する座標入力であることを判定部１４の判定結果から検出する。そして制御部１５Ｂは、映像信号出力機器２１の映像信号の表示開始位置を画面右側半分の座標位置（ここでは、起点Ｏａ）であることに基づいて、表示開始位置を「ＨＯ／２」として決定する。
【００２２】
そして制御部１５Ｂは、映像信号出力機器２１の映像信号に対するタッチ入力された座標（ＨＴ２、ＶＴ２）は、タッチパネルの座標から表示開始座標（起点Ｏａの座標）を差し引くことによって求めることができる。制御部１５Ｂは、ＨＴ２を、表示開始位置が起点Ｏａを基準とすることから、ＨＴＡ−（ＨＯ／２）によって求める。また、制御部１５Ｂは、ＶＴ２を、表示開始位置が起点Ｏａと起点Ｏとが同じであるため、ＶＴ２＝ＶＴＡとして求める。制御部１５Ｂは、このような計算を行うことで、タッチ座標（ＨＴ２，ＶＴ２）と映像信号出力機器２１上における座標（ＨＯ２，ＶＯ２）とが等しくなるように補正することができる。
【００２３】
上述の第２実施形態においては、表示装置１０Ｂにおいて拡大、縮小などのスケーリングを行っていない場合で説明したが、スケーリングが行われた場合もタッチ座標の補正を行うことが可能である。例えば、表示装置１０Ｂにおいてスケーリングを行って表示する場合、画像処理部１６において、拡大率、縮小率を設定している。そのため、スケーリング率の逆計算をタッチ座標に対して行うことで、制御部１５Ｂは、補正を行うことができる。例えば、映像信号出力機器２１の映像信号にたいして（ｘ倍，ｙ倍）の拡大、縮小が行われて表示されている場合、制御部１５Ｂは、タッチ座標（ＨＴ２Ｎ，ＶＴ２Ｎ）を、次の（１）式に従って求めることができる。
（ＨＴ２Ｎ，ＶＴ２Ｎ）＝（ＨＴ２／ｘ，ＶＴ２／ｙ）・・・・（１）
【００２４】
表示装置内において映像信号の拡大表示や、縮小表示を行うと、表示装置に搭載されたタッチパネルのセンサー位置と表示された画像の位置との間でズレが生じてしまう。しかし、上述の実施形態によれば、表示装置１０Ｂにおいて、映像信号の表示位置の移動やスケーリングが行われた場合であっても、タッチパネルの入力座標の補正を行うことができるようになる。補正が行われた後の座標は、座標データとして、タッチ入力された表示領域に表示された映像信号を供給している映像信号出力機器に対して供給される。タッチ入力された表示領域に映像信号を供給していない映像信号出力機器には、制御部１５Ｂは、座標データを供給しない。これにより、上述の実施形態においては、タッチされた座標に表示している画像信号出力機器にのみ座標データを送信することができる。
【００２５】
次に、その他の実施形態について説明する。図７は、ＰＩＰ（Ｐｉｃｔｕｒｅ  Ｉｎ  Ｐｉｃｔｕｒｅ）にて２つの映像信号を表示する場合の表示システム１Ｃの構成の一例を示す図であり、図８は、４画面表示にて４つの映像信号を表示する場合の表示システム１Ｄの一例を示す図である。図７においては、映像信号出力機器２０の映像信号の表示領域２１０内に、映像信号出力機器２０の映像信号の表示領域２１０よりも小さな画像サイズの表示領域２１１が配置され、映像信号出力機器２１の映像信号が表示される。
図８においては、表示装置１０Ｂに対し、４つの映像信号出力機器（映像信号出力機器２０、映像信号出力機器２１、映像信号出力機器２２、映像信号出力機器２３）が接続される。表示装置１０Ｂの表示画面は、縦に２列、横に２列となるように４分割されており、左上の表示領域２２０に映像信号出力機器２０の映像信号、右上の表示領域２２１に映像信号出力機器２１の映像信号、左下の表示領域２２２に映像信号出力機器２２の映像信号、右下の表示領域２２３に映像信号出力機器２３の映像信号、が表示される。
この実施形態によれば、上述の表示装置１０Ｂを適用することにより、いかなる形態の表示をしても、タッチ座標の位置やスケーリングに応じた補正を行い、タッチされた領域に対応する映像信号を供給していた映像信号出力機器のみに対して、座標データが送信される。これにより、いずれの映像信号出力機器においても、タッチパネル操作ができるようになる。
【００２６】
図９は、その他の実施形態における表示システム１Ｅの構成の一例を示す図である。
表示システム１Ｅは、表示装置１０Ｂに対して４つの映像信号出力機器（映像信号出力機器２０、映像信号出力機器２１、映像信号出力機器２２、映像信号出力機器２３）が接続される。表示装置１０Ｂは、４つの映像信号のうち、いずれか１つの映像信号を選択して表示画面上に表示する。映像信号の選択は、外部から入力の切り換えが指定された場合に、その指定された映像信号を選択して表示し、あるいは、予め決められた時間が経過する毎にいずれかの映像信号に切り換えて表示する。
このような構成においても、制御部１５Ｂは、座標入力部１３Ｂを介して座標が入力された場合には、その座標が入力された時点において表示されていた映像信号を特定し、この特定された映像信号を供給していた映像信号出力機器に対して、入力された座標データを出力することができる。また、座標の入力が行われた際に表示されていない映像信号を供給していた映像信号出力機器に対しては、座標データの供給は行われない。また、この場合、制御部１５Ｂは、画面上の分割は行われていないので、分割に伴う座標の補正は行なわず、また、スケーリングが行われている場合には、スケーリングに応じた補正を行うことで、座標データを得ることができる。
【００２７】
上述した実施形態において、２つの映像信号を表示する場合、表示画面の左側と右側に表示する場合について説明したが、上側と下側のように上下方向に分けて表示するようにしてもよい。表示画面の分割の仕方については、任意に選択できるようにしてもよい。また、入力する映像信号は２つである場合について説明したが、３つ以上であってもよい。この場合、入力信号の数に応じて表示画面の表示領域を分割してもよい。
【００２８】
また、上述した実施形態において、座標入力部１３Ｂは、タッチパネルに対して指でタッチすることで座標を入力する場合について説明したが、スタイラスを用いて入力するようにしてもよい。
【００２９】
上述した実施形態における表示装置１０Ａ、表示装置１０Ｂをコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００３０】
以上、この発明の実施形態について図面を参照して詳述してきたが、具体的な構成はこの実施形態に限られるものではなく、この発明の要旨を逸脱しない範囲の設計等も含まれる。
【符号の説明】
【００３１】
１、１Ｃ、１Ｄ、１Ｅ  表示システム
１０Ａ、１０Ｂ  表示装置
１１  映像信号入力部
１２、１２Ｂ  表示部
１３、１３Ｂ  座標入力部
１４  判定部
１５Ｂ  制御部
１６  画像処理部
２０、２１、２２、２３  映像信号出力機器
【図１】
2017156606.tif 000003
【図２】
2017156606.tif 000004
【図３】
2017156606.tif 000005
【図４】
2017156606.tif 000006
【図５】
2017156606.tif 000007
【図６】
2017156606.tif 000008
【図７】
2017156606.tif 000009
【図８】
2017156606.tif 000010
【図９】
2017156606.tif 000011